(57)【要約】【課題】    板状部材を接合する接合部分を有する、食品を収容する折り箱であって、内部に食品を収容した状態で問題なく電子レンジによる加熱を行うことができる折り箱を提供する。【解決手段】板状部材を接合する接合部分を有する、食品を収容する折り箱であって、該接合部分が、両面テープにより板状部材が固定される両面テープ固定部分を含むものである、折り箱である。そして、前記折り箱が、底板部材と、該底板部材に載置された食品を包囲するように該底板部材に取り付けられた側板部材と、を有してなり、該側板部材が上下方向に連続して分断されており、前記両面テープ固定部分が、該分断された両側を接合するものであってもよい。【選択図】  図１
0003102236.tif 000002
【実用新案登録請求の範囲】
【請求項１】
板状部材を接合する接合部分を有する、食品を収容する折り箱であって、
該接合部分が、両面テープにより板状部材が固定される両面テープ固定部分を含むものである、折り箱。
【請求項２】
前記折り箱が、底板部材と、該底板部材に載置された食品を包囲するように該底板部材に取り付けられた側板部材と、を有してなり、
該側板部材が上下方向に連続して分断されており、
前記両面テープ固定部分が、該分断された両側を接合するものである、請求項１に記載の折り箱。
【請求項３】
前記側板部材が、帯状の部材によって構成されており、
該帯状の部材の端部近傍同士が重合されると共に、該重合された該端部近傍同士を前記両面テープが固定することで、前記両面テープ固定部分が形成されるものである、請求項２に記載の折り箱。
【請求項４】
前記側板部材の主表面の少なくとも一部が、湾曲した湾曲部分を有しており、
前記両面テープ固定部分が、該湾曲部分に形成されるものである、請求項２又は３に記載の折り箱。
【請求項５】
前記両面テープが所定の耐熱性を有するものである、請求項１乃至４のいずれかに記載の折り箱。
【請求項６】
前記所定の耐熱性は、前記両面テープが少なくとも１００℃で１０分間保持された際に前記両面テープ固定部分の固定が維持されるものである、請求項５に記載の折り箱。
【請求項７】
前記両面テープが、株式会社スリオンテック社製「スリオンテープ」（商標）の型番５４８６である、請求項１乃至６のいずれかに記載の折り箱。
【請求項８】
前記両面テープが、食品衛生法に適合したものである、請求項１乃至７のいずれかに記載の折り箱。
【考案の詳細な説明】
【技術分野】
【０００１】
本考案は、食品を収容する折り箱に関し、より詳細には、板状部材を接合する接合部分を有する、食品を収容する折り箱であって、問題なく電子レンジによる加熱を行うことができる折り箱に関する。
【背景技術】
【０００２】
折り箱は、食品を収容するために数多く用いられている。例えば、白飯やおかず等のような食品を折り箱に収容し、蓋を閉じることで弁当とすることもできるし、蒸し饅頭のような食品を折り箱に収容し、可搬可能な形態（所謂、持ち帰り用の食品）で食品を販売することもできる（例えば、特許文献１参照）。
【０００３】
図５は、従来の折り箱の一例を示す斜視図（蓋部分３０１を取り外した状態を示している。）である。図５を参照して、従来の折り箱１０１について説明する。従来の折り箱１０１は、大まかには、有底無蓋の略直円筒形をした折り箱本体２０１と、折り箱本体２０１の上部開口２０３（図示しない食品を出し入れするための開口）を閉じるための無底有蓋の略直円筒形をした蓋部分３０１と、を備えてなる。なお、図５中、上方（鉛直上方向）を矢印Ｆにて、下方（鉛直下方向）を矢印Ｇにて、それぞれ示した。
折り箱本体２０１は、主表面が略円形の底板部材２０５と、底板部材２０５の上面に載置された食品（図示せず）を包囲するように底板部材２０５に取り付けられた側板部材２０７と、を有している。側板部材２０７は、主表面が細長い略長方形をした帯状の部材により構成されており、該主表面が直円柱の側面を略構成するように丸められ、その帯の両端近傍が重合されると共にその重合された両端近傍同士が金属製の止め金（ステープル）２０９ａ、２０９ｂ、２０９ｃによって固定されている。なお、底板部材２０５は、側板部材２０７の内周面に固定（接着）されている。
また、蓋部分３０１は、主表面が略円形の天板部材３０３と、天板部材３０３を包囲するように天板部材３０３に取り付けられた蓋側板部材３０５と、を有している。蓋側板部材３０５は、主表面が細長い略長方形をした帯状の部材により構成されており、該主表面が直円柱の側面を略構成するように丸められ、その帯の両端近傍が重合されると共にその重合された両端近傍同士が金属製の止め金（ステープル）３０９によって固定されている。なお、天板部材３０３は、蓋側板部材３０５が形成する前記直円柱の上端近傍において蓋側板部材３０５の内周面に固定（接着）されている。
このような蓋部分３０１は、折り箱本体２０１の上端部分にうまく着脱自在に外嵌されることができる大きさにされており、底板部材２０５の上面に食品（図示せず）を載置した状態（折り箱本体２０１の内部に食品を収容した状態）において、蓋部分３０１を折り箱本体２０１の上端部分に外嵌することで上部開口２０３を閉じたり、蓋部分３０１を折り箱本体２０１の上端部分から取り外すことで上部開口２０３を開くことができる。
【０００４】
【特許文献１】実開平５−３１２３号公報（第２図）
【考案の開示】
【考案が解決しようとする課題】
【０００５】
しかしながら、このように従来から用いられてきた板状部材（図５の上記した例では、側板部材２０７、蓋側板部材３０５）を接合する接合部分は、金属製の止め金（ステープル）２０９ａ、２０９ｂ、２０９ｃ、３０９によって固定されている。このため底板部材２０５の上面に食品（図示せず）を載置した状態（折り箱本体２０１の内部に食品を収容した状態）のまま、電子レンジによる加熱を行うことができなかった。即ち、電子レンジは高周波を用いて加熱するため、高周波が照射される空間に金属製のものが存すると、加熱がうまくいかないからである。
そこで、本考案では、板状部材を接合する接合部分を有する、食品を収容する折り箱であって、内部に食品を収容した状態で問題なく電子レンジによる加熱を行うことができる折り箱を提供することを目的とする。
【課題を解決するための手段】
【０００６】
本考案の折り箱（以下、「本折り箱」という。）は、板状部材を接合する接合部分を有する、食品を収容する折り箱であって、該接合部分が、両面テープにより板状部材が固定される両面テープ固定部分を含むものである、折り箱である。
こうすることで本折り箱を構成する板状部材を接合する接合部分が、少なくとも１の両面テープ固定部分を含む（接合部分の全部が両面テープ固定部分であってもよいし、接合部分の一部が両面テープ固定部分であってもよい。）。両面テープ固定部分では、両面テープにより板状部材が固定される。両面テープは、布や紙等のような基材の両面に接着剤が付着したテープであり、金属部分を有さない。このため本折り箱の内部に食品を収容した状態で電子レンジによる加熱をしても、両面テープ固定部分が問題を生じることがない（無論、両面テープ固定部分以外の、本折り箱の部分も金属部分を有さず、このため両面テープ固定部分を含んだ本折り箱全体において金属部分が存しない。）。
以上のように、本折り箱は、内部に食品を収容した状態で電子レンジにより該食品を加熱することができる。
【０００７】
本折り箱が、底板部材と、該底板部材に載置された食品を包囲するように該底板部材に取り付けられた側板部材と、を有してなり、該側板部材が上下方向に連続して分断されており、前記両面テープ固定部分が、該分断された両側を接合するもの（以下、「側板部材分断折り箱」という。）であってもよい。
通常、折り箱は、底板部材と、該底板部材に載置された食品を包囲するように該底板部材に取り付けられた側板部材と、を有してなり、さらに該側板部材が上下方向に連続して分断されていることが多い（既に説明した図５の従来の折り箱１０１においても側板部材２０７は上下方向に連続して分断されており、金属製の止め金（ステープル）２０９ａ、２０９ｂ、２０９ｃが、該分断された両側を固定している。）。この上下方向に連続して分断された側板部材を接合する部分には、比較的大きな力が加わることが多く（例えば、本折り箱の内部に食品を詰める場合や、側板部材が外側から押される場合等）、さらに、この部分の両側の接合が解かれると本折り箱が折り箱としての機能を果たさなくなることが多いことから、この上下方向に連続して分断された両側は確実に固定される必要がある。従って、前記両面テープ固定部分により該分断された両側を確実に接合するようにしてもよい。
【０００８】
側板部材分断折り箱の場合、前記側板部材が、帯状の部材によって構成されており、該帯状の部材の端部同士が重合されると共に、該重合された該端部同士を前記両面テープが固定することで、前記両面テープ固定部分が形成されるものであってもよい。
側板部材分断折り箱の場合、側板部材が、帯状の部材によって構成されることが多く（既に説明した図５の従来の折り箱１０１においても側板部材２０７は帯状の部材により構成されている。）、その際には、両面テープ固定部分が、前記分断された両側を接合する場合、該帯状の部材の端部近傍同士が重合されると共に、該重合された該端部近傍同士を前記両面テープが固定する（該重合された該端部近傍同士の間に前記両面テープが挟まれるようにする。）ようにすれば、うまく前記分断された両側を固定することができる。
【０００９】
側板部材分断折り箱の場合、前記側板部材の主表面の少なくとも一部が、湾曲した湾曲部分を有しており、前記両面テープ固定部分が、該湾曲部分に形成されるものであってもよい。
側板部材の主表面の湾曲部分は、応力が加わっている場合が多く（例えば、湾曲部分が平らに戻ろうとする力や、逆に、湾曲部分が一層湾曲しようとする力等）、湾曲部分において上下方向に連続して分断された両側を固定するには、前記両面テープ固定部分により該分断された両側を確実に接合するようにしてもよい。
【００１０】
前記両面テープが所定の耐熱性を有するものであってもよい。
本折り箱の内部に食品を収容した状態で電子レンジによる加熱をする際、両面テープの温度が上昇することが多い（例えば、加熱される食品からの伝熱等による温度上昇）。両面テープの温度が上昇しても両面テープによる板状部材の固定が維持されるのが好ましいから、前記両面テープは所定の耐熱性を有するものであることが好ましい。両面テープが有する「所定の耐熱性」は、本折り箱の使用目的や使用方法等に応じて想定される種類及び量の食品を本折り箱に収容し、本折り箱の使用目的や使用方法等に応じて想定される程度の加熱を行っても、両面テープにより板状部材が固定される両面テープ固定部分が破壊（両面テープによる板状部材の固定が解かれる）されることなく両面テープ固定部分の固定が維持される程度の耐熱性をいうが、一般的には、両面テープが１００℃で１０分間保持された際に前記両面テープ固定部分の固定が少なくとも維持されるものであればよい。
このような所定の耐熱性を両面テープが有することで、食品を加熱する際に両面テープの温度が上昇しても、両面テープにより板状部材が固定される両面テープ固定部分が破壊（両面テープによる板状部材の固定が解かれる）されることなく両面テープ固定部分の固定が維持される。
【００１１】
前記両面テープが、株式会社スリオンテック社製「スリオンテープ」（商標）の型番５４８６であってもよい。
前記両面テープは、板状部材を確実に固定することができればいかなるものであってもよく、何ら限定されるものではないが、一例としては、株式会社スリオンテック社製「スリオンテープ」（商標）の型番５４８６を挙げることができる。かかる両面テープは、本折り箱に用いるのに十分な固定強度及び前記所定の耐熱性を有している。
【００１２】
また、本折り箱は食品を収容するために用いられるものであるから、前記両面テープは、食品衛生法に適合したものを用いるのが好ましい。
ここに「食品衛生法に適合したもの」とは、本折り箱の使用目的に応じて食品衛生法に規定されている種々の項目、試験法及び基準値が選択されてよいが、例えば、昭和３４年１２月厚生省告示第３７０号（一般規格）、溶出試験に合格するものとされてもよい。
なお、上述した株式会社スリオンテック社製「スリオンテープ」（商標）の型番５４８６は、昭和３４年１２月厚生省告示第３７０号（一般規格）、溶出試験に合格するものである。
【考案を実施するための最良の形態】
【００１３】
本考案の実施の形態を図面を参照して詳述するが、本考案はこれに限定されるものではない。
【００１４】
図１は、一例の本考案の折り箱（本折り箱）の斜視図（図５と同様、蓋部分３１を取り外した状態を示している。）であり、図２は図１のＡ−Ａ断面図（図２（ａ）は図１のＡ−Ａ断面図であり、図２（ｂ）は図２（ａ）の円Ｄ中の拡大図である。）であり、図３は図１のＢ−Ｂ断面図であり、図４は図１のＣ−Ｃ断面図である。図１乃至図４を参照して、本折り箱１１について説明する。
【００１５】
本折り箱１１は、大まかに言えば、図５に示した従来の折り箱１０１と比較して、側板部材（従来の折り箱１０１においては側板部材２０７であり、本折り箱１１においては側板部材２７）の重合された両端近傍同士が金属製の止め金（ステープル）２０９ａ、２０９ｂ、２０９ｃによって固定されるのではなく両面テープ１３によって固定されている点と、蓋側板部材（従来の折り箱１０１においては蓋側板部材３０５であり、本折り箱１１においては蓋側板部材３５）の重合された両端近傍同士が金属製の止め金（ステープル）３０９によって固定されるのではなく両面テープ１７によって固定されている点と、が異なるのみで、それ以外は同じである。従って、以下、本折り箱１１の説明のうち、図５に示した従来の折り箱１０１と異なる点について主として説明する（同様の点に関する説明は、図５の説明を参照されたい。）。
本折り箱１１は、有底無蓋の略直円筒形をした折り箱本体２１と、折り箱本体２１の上部開口２３（図示しない食品を出し入れするための開口）を閉じるための無底有蓋の略直円筒形をした蓋部分３１と、を備えてなる。なお、図１中、上方（鉛直上方向）を矢印Ｆにて、下方（鉛直下方向）を矢印Ｇにて、それぞれ示した（本折り箱１１を水平な平面に載置した際の鉛直上方向及び鉛直下方向をいう。）。
【００１６】
折り箱本体２１は、主表面が略円形の底板部材２５と、底板部材２５の上面に載置された食品（図示せず）を包囲するように底板部材２５に取り付けられた側板部材２７と、を有している。
底板部材２５は、ここではえぞ松の薄板を厚紙に貼着したものにより構成されている（該薄板が底板部材２５の上面を構成するようになっている。）。
側板部材２７は、主表面が細長い略長方形をした帯状の部材（ここではえぞ松の薄板により構成されている。）により構成されており、該主表面が直円柱の側面を略構成するように丸められ、その帯の両端近傍が重合されると共にその重合された両端近傍同士が両面テープ１３によって固定されている。両面テープ１３は、側板部材２７の重合された両端近傍同士の間に存しており、該両端近傍同士を接着により固定している。両面テープ１３は、ここでは株式会社スリオンテック社製「スリオンテープ」（商標）の型番５４８６（５４８６−０１）を用いている。
なお、底板部材２５は、底板部材２５の主表面が、側板部材２７が形成する略直円柱の軸に対して略垂直になるように側板部材２７の内周面に固定されている。
【００１７】
また、蓋部分３１は、主表面が略円形の天板部材３３と、天板部材３３を包囲するように天板部材３３に取り付けられた蓋側板部材３５と、を有している。
天板部材３３は、ここではえぞ松の薄板を厚紙に貼着したものにより構成されている（該薄板が天板部材３３の上面を構成するようになっている。）。
蓋側板部材３５は、主表面が細長い略長方形をした帯状の部材（ここではえぞ松の薄板により構成されている。）により構成されており、該主表面が直円柱の側面を略構成するように丸められ、その帯の両端近傍が重合されると共にその重合された両端近傍同士が両面テープ１７によって固定されている。両面テープ１７は、蓋側板部材３５の重合された両端近傍同士の間に存しており、該両端近傍同士を接着により固定している。両面テープ１７は、ここでは株式会社スリオンテック社製「スリオンテープ」（商標）の型番５４８６（５４８６−０１）を用いている。
なお、天板部材３３は、天板部材３３の主表面が、蓋側板部材３５が形成する略直円柱の軸に対して略垂直になるよう、蓋側板部材３５が形成する前記直円柱の上端近傍において蓋側板部材３５の内周面に固定されている。
このような蓋部分３１は、折り箱本体２１の上端部分にうまく着脱自在に外嵌されることができる大きさにされており、底板部材２５の上面に食品（図示せず）を載置した状態（折り箱本体２１の内部に食品を収容した状態）において、蓋部分３１を折り箱本体２１の上端部分に外嵌することで上部開口２３を閉じたり、蓋部分３１を折り箱本体２１の上端部分から取り外すことで上部開口２３を開くことができる。
【００１８】
以上のように、本折り箱１１は、板状部材（底板部材２５、側板部材２７、天板部材３３、蓋側板部材３５）を接合する接合部分（例えば、側板部材２７の両端近傍同士の接合部分、底板部材２５と側板部材２７との接合部分、蓋側板部材３５の両端近傍同士の接合部分、天板部材３３と蓋側板部材３５との接合部分）を有する、食品を収容する折り箱であって、該接合部分が、両面テープ１３、１７により板状部材（側板部材２７、蓋側板部材３５）が固定される両面テープ固定部分（側板部材２７の両端近傍同士の接合部分（両面テープ１３により固定される。）、蓋側板部材３５の両端近傍同士の接合部分（両面テープ１７により固定される。））を含むものである、折り箱である。
【００１９】
本折り箱１１は、底板部材２５と、底板部材２５に載置された食品を包囲するように底板部材２５に取り付けられた側板部材２７と、を有してなり、側板部材２７が上下方向に連続して分断されており、前記両面テープ固定部分（側板部材２７の両端近傍同士の接合部分）が、該分断された両側を接合している。
また、側板部材２７が、帯状の部材（主表面が細長い略長方形をした帯状の部材）によって構成されており、該帯状の部材の端部近傍同士が重合されると共に、該重合された該端部近傍同士を両面テープ１３が固定することで、前記両面テープ固定部分が形成されている。
そして、側板部材２７の主表面の少なくとも一部（ここでは全部）が、湾曲した湾曲部分（該主表面が直円柱の側面を略構成するように丸められている。）を有しており、前記両面テープ固定部分が、該湾曲部分に形成されている。
【００２０】
また、両面テープ１３、１７はいずれも、１００℃で１０分間保持された際にも前記両面テープ固定部分の固定が維持され、本折り箱１１の使用目的や使用方法等に応じて想定される種類及び量の食品を本折り箱１１に収容し、本折り箱１１の使用目的や使用方法等に応じて想定される程度の加熱を行っても、両面テープ１３、１７により板状部材（側板部材２７、蓋側板部材３５）が固定される両面テープ固定部分が破壊（両面テープ１３、１７による板状部材の固定が解かれる）されることなく両面テープ固定部分の固定が維持されるものであり、両面テープ１３、１７はいずれも前記所定の耐熱性を有する。
また、両面テープ１３、１７はいずれも、株式会社スリオンテック社製「スリオンテープ」（商標）の型番５４８６（５４８６−０１）を用いている。
そして、両面テープ１３、１７は、食品衛生法に適合したものである。
【００２１】
このように本折り箱１１を用いれば、本折り箱１１は金属部分を有さないので、底板部材２５の上面に食品（図示せず）を載置した状態（本折り箱１１（折り箱本体２１）の内部に食品を収容した状態）で電子レンジによって該食品を加熱することができる。
そして、両面テープ１３、１７により板状部材を固定することで、本折り箱１１を容易に製造することができる（例えば、接着剤等を用いて固定しようとすると接着剤の凝固等を待つ必要があるし、図５のように止め金（ステープル）２０９ａ、２０９ｂ、２０９ｃ、３０９によって固定しようとするとそのための装置を要する。）。
加えて、両面テープ１３、１７により板状部材を固定することで、図５のように止め金（ステープル）２０９ａ、２０９ｂ、２０９ｃ、３０９によって固定する場合に比して、本折り箱１１（折り箱本体２１）の内部に収容された食品に異物が混入することを防止又は減少させることができる（止め金（ステープル）２０９ａ、２０９ｂ、２０９ｃ、３０９を用いる場合では、止め金（ステープル）２０９ａ、２０９ｂ、２０９ｃ、３０９自身が異物として混入する可能性や、止め金（ステープル）２０９ａ、２０９ｂ、２０９ｃ、３０９を打ち込む際に生じる木屑等が異物として混入する可能性がある。）。
【図面の簡単な説明】
【００２２】
【図１】本折り箱の斜視図である。
【図２】図１のＡ−Ａ断面図である。
【図３】図１のＢ−Ｂ断面図である。
【図４】図１のＣ−Ｃ断面図である。
【図５】従来の折り箱を示す斜視図である。
【符号の説明】
【００２３】
１１        本折り箱
１３        両面テープ
１７        両面テープ
２１        折り箱本体
２３        上部開口
２５        底板部材
２７        側板部材
３１        蓋部分
３３        天板部材
３５        蓋側板部材
１０１        従来の折り箱
２０１        折り箱本体
２０３        上部開口
２０５        底板部材
２０７        側板部材
２０９ａ、２０９ｂ、２０９ｃ、３０９  止め金（ステープル）
３０１        蓋部分
３０３        天板部材
３０５        蓋側板部材
【図１】
0003102236.tif 000003
【図２】
0003102236.tif 000004
【図３】
0003102236.tif 000005
【図４】
0003102236.tif 000006
【図５】
0003102236.tif 000007